(57)【特許請求の範囲】
【請求項１】
建物の外周部から突出する梁を被覆してなる梁の被覆構造において、
前記建物の外周部には外壁材が設けられ、
前記外壁材のうち前記梁が突出する位置には前記梁が貫通可能な切欠部が形成され、
前記梁と前記切欠部との間には隙間が形成されており、
前記隙間には、前記梁のうち少なくとも前記切欠部の縁部に対向する箇所を被覆する耐火板材と、この耐火板材と前記切欠部の縁部との間に充填されるシーリング材と、が設けられており、
前記梁は、対向する前記外壁材間に架設される化粧梁であり、
前記耐火板材は、前記梁の長さ方向および全周に亘って当該梁の全体を被覆しており、当該耐火板材は化粧カバーによって被覆されていることを特徴とする梁の被覆構造。
【請求項２】
建物の外周部から突出する梁を被覆してなる梁の被覆構造において、
前記建物の外周部には外壁材が設けられ、
前記外壁材のうち前記梁が突出する位置には前記梁が貫通可能な切欠部が形成され、
前記梁と前記切欠部との間には隙間が形成されており、
前記隙間には、前記梁のうち少なくとも前記切欠部の縁部に対向する箇所を被覆する耐火板材と、この耐火板材と前記切欠部の縁部との間に充填されるシーリング材と、が設けられており、
前記梁は、バルコニーを支持する支持梁であり、
前記梁における前記バルコニー中央側の面には、前記バルコニーの床の側端部を支持する支持部材が設けられており、
前記梁は、前記床の側端部のうち前記支持部材によって支持される箇所を除き、前記耐火板材と前記床の側端部によって略全周に亘って被覆され、
前記耐火板材と前記床の側端部との間には、前記床の側端部のうち前記支持部材によって支持される箇所を跨ぐようにして耐火被覆材が設けられることを特徴とする梁の被覆構造。
【請求項３】
請求項１又は２に記載の梁の被覆構造において、
前記耐火板材と前記シーリング材との間に、透湿防水シートと耐水シートのうち少なくとも一方が介在していることを特徴とする梁の被覆構造。
【請求項４】
請求項１〜３のいずれか一項に記載の梁の被覆構造において、
前記耐火板材と前記梁を被覆する耐火被覆材とが、前記梁の長さ方向に隣接して設けられていることを特徴とする梁の被覆構造。
【発明の詳細な説明】
【技術分野】
【０００１】
本発明は、梁の被覆構造に関する。
【背景技術】
【０００２】
従来、バルコニーや外廊下を支持する梁を建物の外周部から突出させて設ける場合（特許文献１参照）や、対向する外壁間に化粧梁を架設する場合がある。建物を鉄骨軸組工法で建築する際は、いずれの場合も、梁を建物躯体から外部に向かって延出するようにして設けている。
【先行技術文献】
【特許文献】
【０００３】
【特許文献１】特開平５−５９８２３号公報
【発明の概要】
【発明が解決しようとする課題】
【０００４】
ところで、特許文献１に記載のように、外壁材に、梁を通すための梁型切欠きを形成した場合に、梁と外壁材（すなわち、梁型切欠きの縁部）との間に隙間が生じてしまうと、耐火や防水の面で好ましくない。そのため、隙間を確実に塞ぎたいという要望があった。
ところが、断面矩形状に形成された角材からなる木製梁とは異なり、鉄骨梁には様々な断面形状のものが用いられるため、隙間を塞ぎにくい場合があった。
【０００５】
本発明の課題は、建物の外周部から突出する梁と外壁材との隙間を確実に塞いで、耐火性能および防水性能を向上させることが可能な梁の被覆構造を提供することを目的とする。
【課題を解決するための手段】
【０００６】
請求項１に記載の発明は、例えば図１〜図９に示すように、建物の外周部から突出する梁１〜４を被覆してなる梁１〜４の被覆構造において、
前記建物の外周部には外壁材５〜９が設けられ、
前記外壁材５〜９のうち前記梁１〜４が突出する位置には前記梁１〜４が貫通可能な切欠部５ａ〜８ａが形成され、
前記梁１〜４と前記切欠部５ａ〜８ａとの間には隙間Ｓが形成されており、
前記隙間Ｓには、前記梁１〜４のうち少なくとも前記切欠部５ａ〜８ａの縁部に対向する箇所を被覆する耐火板材１０と、この耐火板材１０と前記切欠部５ａ〜８ａの縁部との間に充填されるシーリング材１１と、が設けられており、
前記梁１，２は、対向する前記外壁材５，６・５，７間に架設される化粧梁であり、
前記耐火板材１０は、前記梁１，２の長さ方向および全周に亘って当該梁１，２の全体を被覆しており、当該耐火板材１０は化粧カバー１３によって被覆されていることを特徴とする。
【０００７】
請求項１に記載の発明によれば、梁１〜４と外壁材５〜９における切欠部５ａ〜８ａとの間に形成された隙間Ｓに、梁１〜４のうち少なくとも切欠部５ａ〜８ａの縁部に対向する箇所を被覆する耐火板材１０と、この耐火板材１０と切欠部５ａ〜８ａの縁部との間に充填されるシーリング材１１と、が設けられているので、これら耐火板材１０とシーリング材１１によって隙間Ｓを確実に塞ぐようにして被覆できる。耐火板材１０には耐火性能があり、シーリング材１１には防水性能があるため、建物の外周部の梁１〜４が突出する部分における耐火性能および防水性能を向上させることができる。
また、シーリング材１１を充填するに当たって、耐火板材１０は板であるため、当該シーリング材１１の下地材として機能する。これによって、例えば繊維状の素材からなる耐火材を使用するよりも、シーリング材１１を確実に充填することができるとともに、その状態を安定的に維持できるので、建物の外周部の梁１〜４が突出する部分における防水性能の向上に貢献できる。
さらに、耐火板材１０は、梁１，２の長さ方向および全周に亘って当該梁１，２の全体を被覆しており、当該耐火板材１０は化粧カバー１３によって被覆されているので、梁１，２の全体を、化粧カバー１３によって意匠性を高めつつ、耐火板材１０によって耐火性能を向上させることができる。
【０００８】
請求項２に記載の発明は、例えば図１０〜図１５に示すように、建物の外周部から突出する梁１〜４を被覆してなる梁１〜４の被覆構造において、
前記建物の外周部には外壁材５〜９が設けられ、
前記外壁材５〜９のうち前記梁１〜４が突出する位置には前記梁１〜４が貫通可能な切欠部５ａ〜８ａが形成され、
前記梁１〜４と前記切欠部５ａ〜８ａとの間には隙間Ｓが形成されており、
前記隙間Ｓには、前記梁１〜４のうち少なくとも前記切欠部５ａ〜８ａの縁部に対向する箇所を被覆する耐火板材１０と、この耐火板材１０と前記切欠部５ａ〜８ａの縁部との間に充填されるシーリング材１１と、が設けられており、
前記梁３，４は、バルコニー３０を支持する支持梁であり、
前記梁３，４における前記バルコニー３０中央側の面には、前記バルコニー３０の床３０ａの側端部を支持する支持部材３０ｂが設けられており、
前記梁３，４は、前記床３０ａの側端部のうち前記支持部材３０ｂによって支持される箇所を除き、前記耐火板材１０と前記床３０ａの側端部によって略全周に亘って被覆され、
前記耐火板材１０と前記床３０ａの側端部との間には、前記床３０ａの側端部のうち前記支持部材３０ｂによって支持される箇所を跨ぐようにして耐火被覆材１４が設けられることを特徴とする。
【０００９】
請求項２に記載の発明によれば、梁１〜４と外壁材５〜９における切欠部５ａ〜８ａとの間に形成された隙間Ｓに、梁１〜４のうち少なくとも切欠部５ａ〜８ａの縁部に対向する箇所を被覆する耐火板材１０と、この耐火板材１０と切欠部５ａ〜８ａの縁部との間に充填されるシーリング材１１と、が設けられているので、これら耐火板材１０とシーリング材１１によって隙間Ｓを確実に塞ぐようにして被覆できる。耐火板材１０には耐火性能があり、シーリング材１１には防水性能があるため、建物の外周部の梁１〜４が突出する部分における耐火性能および防水性能を向上させることができる。
また、シーリング材１１を充填するに当たって、耐火板材１０は板であるため、当該シーリング材１１の下地材として機能する。これによって、例えば繊維状の素材からなる耐火材を使用するよりも、シーリング材１１を確実に充填することができるとともに、その状態を安定的に維持できるので、建物の外周部の梁１〜４が突出する部分における防水性能の向上に貢献できる。
さらに、梁３，４のバルコニー３０中央側の面に支持部材３０ｂが設けられているので、梁３，４は、床３０ａの側端部のうち支持部材３０ｂによって支持される箇所を除き、耐火板材１０と床３０ａの側端部によって略全周に亘って被覆された状態となる。このような状態において、耐火板材１０と床３０ａの側端部との間に、床３０ａの側端部のうち支持部材３０ｂによって支持される箇所を跨ぐようにして耐火被覆材１４が設けられるので、梁３，４を全周に亘って耐火被覆することができる。
【００１０】
請求項３に記載の発明は、例えば図８に示すように、請求項１又は２に記載の梁１〜４の被覆構造において、
前記耐火板材１０と前記シーリング材１１との間に、透湿防水シート１６と耐水シート１７のうち少なくとも一方が介在していることを特徴とする。
【００１１】
請求項３に記載の発明によれば、耐火板材１０とシーリング材１１との間に、透湿防水シート１６と耐水シート１７のうち少なくとも一方が介在しているので、隙間Ｓから湿気を逃がしつつ隙間Ｓからの水の浸入を防いだり、雨や雪による劣化を防いだりすることができ、その結果、建物の外周部の梁１〜４が突出する部分における防水性能をより向上させることができる。
【００１２】
請求項４に記載の発明は、例えば図２〜図７，図１１〜図１４に示すように、請求項１〜３のいずれか一項に記載の梁１〜４の被覆構造において、
前記耐火板材１０と前記梁１〜４を被覆する耐火被覆材１４とが、前記梁１〜４の長さ方向に隣接して設けられていることを特徴とする。
【００１３】
請求項４に記載の発明によれば、耐火板材１０と梁１〜４を被覆する耐火被覆材１４とが、梁１〜４の長さ方向に隣接して設けられているので、例えば梁１〜４の形状の複雑性や外壁材５〜７よりも内側構造の複雑性等によって耐火板材１０で被覆できない箇所を、耐火被覆材１４によって被覆することができる。これによって、梁を、耐火板材１０によって被覆された箇所だけでなく、その他の箇所も耐火被覆材１４によって被覆できるので、梁１〜４における耐火性能を向上させることができる。
【発明の効果】
【００１６】
本発明によれば、建物の外周部から突出する梁と外壁材との隙間を確実に塞いで、耐火性能および防水性能を向上させることができる。
【図面の簡単な説明】
【００１７】
【図１】対向する外壁材間に化粧梁が架設された状態を示す平面図である。
【図２】図１のＡ部拡大平断面図である。
【図３】図１のＡ部拡大側断面図である。
【図４】図１のＡ部における耐火被覆の状態を示す斜視図である。
【図５】図１のＢ部拡大平断面図である。
【図６】図１のＢ部拡大側断面図である。
【図７】図１のＢ部における耐火被覆の状態を示す斜視図である。
【図８】化粧梁を施工する手順の一部を説明する斜視図である。
【図９】化粧梁を示す断面図である。
【図１０】バルコニーを支持する支持梁が設けられた状態を示す平面図である。
【図１１】図１０のＣ部拡大平断面図である。
【図１２】図１０のＣ部拡大正断面図である。
【図１３】図１０のＣ部拡大正断面図である。
【図１４】図１０のＣ部拡大平断面図である。
【図１５】耐火板材からなるコ字状体を用いて梁を被覆する態様を示す図である。
【発明を実施するための形態】
【００１８】
以下、図面を参照して本発明の実施の形態について説明する。
本実施の形態における梁１〜４の被覆構造は、図１〜図１５に示すように、建物の外周部から突出する梁１〜４を被覆してなるものである。
建物の外周部には外壁材５〜９が設けられ、外壁材５〜９のうち梁１〜４が突出する位置には梁１〜４が貫通可能な切欠部５ａ〜８ａが形成され、梁１〜４と切欠部５ａ〜８ａとの間には隙間Ｓが形成されている。
そして、隙間Ｓには、梁１〜４のうち少なくとも切欠部５ａ〜８ａの縁部に対向する箇所を被覆する耐火板材１０と、この耐火板材１０と切欠部５ａ〜８ａの縁部との間に充填されるシーリング材１１と、が設けられている。
【００１９】
梁１〜４は、建物の躯体を構成する鉄骨梁を延長させたもの、あるいは建物の躯体を構成する鉄骨梁に連結されたものである。
鉄骨梁の種類としては、本実施の形態ではＨ形鋼が用いられているが、これに限られるものではなく、Ｉ型鋼や溝形鋼等の鉄骨梁が用いられてもよい。
梁１〜４は、説明の便宜上、以下において第一梁１、第二梁２、第三梁３、第四梁４と称する。
【００２０】
外壁材５〜９としては、ＰＡＬＣ（Precastable Autoclaved Lightweight Ceramics）等の気泡コンクリート材料からなるパネル状体が採用されている。また、ＰＡＬＣからなる外壁材以外にも、ＡＬＣ（Autoclaved Lightweight aerated Concrete）からなるパネル状体等のコンクリート製外壁材や、その他の材質の外壁材が用いられてもよいものとする。
【００２１】
耐火板材１０としては、釘やビス等の打ち込み・ねじ込みに耐え得る強度を持った耐火材が好適であり、本実施の形態においてはケイカル板（珪酸カルシウム板）が採用される。その他にも例えば石膏ボードやサイディング材等を採用してもよい。
【００２２】
シーリング材１１は目地充填材であり、目地底となるバックアップ材１２とセットで用いられるものであり、シーリング材１１は、バックアップ材１２と、外壁材５〜９の切欠部５ａ〜８ａと、耐火板材１０と、に対して密着した状態に充填される。
また、バックアップ材１２は不燃材料であり、本実施の形態においては例えばロックウールを成形したものが採用されている。
【００２３】
建物には、その外周部に、第一梁１〜第四梁４が突出する箇所が設けられている。そのような箇所としては、例えば図１に示すような外階段（階段自体は図示せず）が設けられる領域２０や、図１０に示すようなバルコニー３０が挙げられる。その他にも、アパートやマンション等の集合住宅等の建物に設けられる外廊下や、建物の外周部から張り出す庇等でもよい。すなわち、建物の居住部以外の箇所であって、かつ建物から突出するようにして設けられる箇所において突出して設けられる梁、または、このような箇所に向かって建物の躯体から延出する梁が、耐火板材１０等によって被覆される対象の梁とされている。
なお、本実施の形態における建物は、鉄骨軸組工法によって建築されており、柱や梁等を接合して躯体が形成されている。
【００２４】
以下、外階段が設けられる領域２０における第一梁１と第二梁２の被覆構造と、バルコニー３０における第三梁３と第四梁４の被覆構造について説明する。
【００２５】
＜領域２０における梁１，２の被覆構造＞
図１に示すような外階段が設けられる領域２０は、アパートやマンション等の集合住宅等の建物に設けられており、例えば外廊下と一体的に形成されている。
外階段が設けられる領域２０の周囲には、当該領域２０を囲むようにして複数の壁２１，２２，２３が設けられている。
壁２１は、外階段領域２０のコーナーに配置されており、壁２２および壁２３と対向するように配置されている。つまり、壁２２と壁２３は、壁２１を基点にして互いに直交する方向に設けられている。
【００２６】
壁２１は、当該壁２１を構成する柱や梁等を被覆する外壁材５を有する。また、壁２２は、当該壁２２を構成する柱や梁等を被覆する外壁材６を有する。また、壁２３は、当該壁２３を構成する柱や梁等を被覆する外壁材７を有する。
第一梁１は、対向する壁２１，２２間に、すなわち対向する外壁材５，６間に架設される、化粧が施された化粧梁である。
第二梁２は、対向する壁２１，２３間に、すなわち対向する外壁材５，７間に架設される、化粧が施された化粧梁である。
【００２７】
まず、第一梁１の被覆構造について、図１〜図４等を参照して説明する。
外壁材５のうち第一梁１が突出する位置には、図２，図３に示すように、第一梁１が貫通可能な切欠部５ａが形成されている。
切欠部５ａは、断面視における第一梁１の最大外形よりも範囲が広くなるように外壁材５に形成されている。すなわち、Ｈ形鋼である第一梁１は、ウェブと上下のフランジとを有する。そして、上側のフランジの上面と、下側のフランジの下面と、上側のフランジの短手方向両端部と下側のフランジの短手方向両端部とをそれぞれ仮想的に繋ぐ線とで構成される矩形状の範囲が、断面視における第一梁１の最大外形とされている。外壁材５に形成される切欠部５ａは、このような第一梁１の最大外形よりも範囲が広くなるように設定されている。
なお、複数の外壁材５が隣接する箇所（図９参照）から第一梁１が突出する場合は、その外壁材５ごとに切欠形成された箇所を集合させて、第一梁１の最大外形に対応した切欠部５ａを形成している。
【００２８】
このように形成された切欠部５ａと第一梁１との間には隙間Ｓが形成されている。
すなわち、外壁材５は、厚みがある（例えば８０ｍｍ程度）ため、切欠部５ａは、外壁材５の内外方向に沿って外壁材５の厚み分に対応した面が形成されている。このような切欠部５ａの面と、第一梁１のうち外壁材５から突出する根元の位置２ａとの間に、隙間Ｓが形成されている。
なお、外壁材５における切欠部５ａの外部側縁は座堀り加工が施されており、後述する化粧カバー１３の端部を収納して、化粧カバーを外壁材５側に寄せて配置できるようにしている。
【００２９】
隙間Ｓには、第一梁１のうち少なくとも切欠部５ａの縁部に対向する箇所を被覆する耐火板材１０が設けられている。
なお、第一梁１が上述のように化粧梁である場合には、耐火板材１０は、第一梁１の長さ方向および全周に亘って当該第一梁１の全体を被覆しているものとする。すなわち、耐火板材１０は、複数の耐火板材１０を矩形枠状に組み立てて、第一梁１を囲むようにして設けられている。
【００３０】
さらに、隙間Ｓには、耐火板材１０と切欠部５ａの縁部との間に充填されるシーリング材１１が設けられている。すなわち、シーリング材１１は、隙間Ｓ内において耐火板材１０よりも外側に配置されている。
より詳細に説明すると、隙間Ｓにおいて、耐火板材１０と切欠部５ａの縁部との間に、まずバックアップ材１２が目地底となるように設けられており、バックアップ材１２と、外壁材５の切欠部５ａと、耐火板材１０と、に対して密着した状態となるようにシーリング材１１が充填されている。
【００３１】
また、第一梁１は、外壁材５よりも壁２１の内部において耐火被覆材１４によって被覆されている。この耐火被覆材１４は、耐熱ロックウールを不織布で覆った軟質な耐火材であり、被覆対象物に巻き付けるようにして設けられ、被覆対象物の形状に応じて容易に適応できる。
このような第一梁１を被覆する耐火被覆材１４と耐火板材１０とが、第一梁１の長さ方向に隣接して設けられている。すなわち、第一梁１のうち、外壁材５よりも壁２１の内部側が耐火被覆材１４によって被覆されている。
【００３２】
なお、第一梁１はＨ形鋼であるため、図４に示すように、ウェブの両側には耐火被覆材１４が捨て張りされている。捨て張りされた部分をさらに被覆するようにして耐火被覆材１４が第一梁１を被覆している。
また、このように耐火被覆材１４が捨て張りされた位置よりもさらに壁２１の内部側には、他の耐火被覆材１５が設けられている。当該他の耐火被覆材１５は、中央部分が第一梁１のウェブに対して固定されている。
【００３３】
そして、耐火板材１０は、図２，図３に示すように、その隙間Ｓ側の端部が、耐火被覆材１４に当接するようにして設けられている。
なお、施工時には、図４に示すように、矩形枠状に組まれた耐火板材１０を、耐火被覆材１４側にスライドさせて、当該耐火被覆材１４に当接させる。
また、耐火板材１０は、第一梁１のウェブに固定されて側方に張り出すブラケット１８に対してビス等により固定されている（図９参照）。ブラケット１８自体は、ウェブに対してボルト・ナットで固定されている。
【００３４】
以上のような第一梁１の被覆構造は、当該第一梁１が架設される一方の壁２１側と他方の壁２２側とに対して同様の状態で適用されている。
すなわち、図示はしないが、壁２２側においても外壁材６に切欠部が形成されており、第一梁１と切欠部との間に形成された隙間Ｓには、耐火板材１０とシーリング材１１とが設けられている。
また、第一梁１の壁２２側の端部は、外壁材６よりも壁２２の内部において耐火被覆材１４によって被覆されている。
【００３５】
続いて、第二梁２の被覆構造について、図１，図５〜図７等を参照して説明する。
ただし、上述の第一梁１の被覆構造と重複する構成については説明を省略する。
【００３６】
壁２３を構成する外壁材７のうち第二梁２が突出する位置には、図５，図６に示すように、第二梁２が貫通可能な切欠部７ａが形成されている。
切欠部７ａは、断面視における第二梁２の最大外形よりも範囲が広くなるように外壁材７に形成されている。  
【００３７】
切欠部７ａと第一梁１との間には隙間Ｓが形成されている。
そして、隙間Ｓには、第二梁２のうち少なくとも切欠部７ａの縁部に対向する箇所を被覆する耐火板材１０が設けられている。
なお、第二梁２が上述のように化粧梁である場合には、耐火板材１０は、第二梁２の長さ方向および全周に亘って当該第二梁２の全体を被覆しているものとする。
さらに、隙間Ｓには、耐火板材１０と切欠部７ａの縁部との間に充填されるシーリング材１１が設けられている。
【００３８】
なお、第二梁２は、図１，図５〜図７に示すように、建物の躯体を構成する他の梁Ｈと直交して配置されたものであり、当該他の梁Ｈに接合された状態となっている。
第二梁２は、他の梁Ｈとの接合部において耐火被覆材１４によって被覆されている。すなわち、第二梁２の接合側端部が、外壁材７よりも壁２３の内部において耐火被覆材１４によって被覆されている。
より詳細に説明すると、図５，図７に示すように、第二梁２の接合側端部を左右から挟み込むようにして耐火被覆材１４が設けられている。さらに、図６，図７に示すように、第二梁２の接合側端部を上下から挟み込むようにして耐火被覆材１４が設けられている。当該上下から挟み込む耐火被覆材１４は、第二梁２と他の梁Ｈとに跨って配置されている。
【００３９】
なお、第二梁２の接合側端部を左右から挟み込む耐火被覆材１４の裏側には、他の梁Ｈのウェブの隙間を埋める耐火被覆材１４が捨て張りされている。
また、このように耐火被覆材１４が捨て張りされた位置よりもさらに他の梁Ｈの長さ方向端部側には、他の耐火被覆材１５が設けられている。当該他の耐火被覆材１５は、中央部分が第一梁１のウェブに対して固定されている。
【００４０】
そして、耐火板材１０は、図５，図６に示すように、その隙間Ｓ側の端部が、耐火被覆材１４に当接するようにして設けられている。
なお、施工時には、図７に示すように、矩形枠状に組まれた耐火板材１０を、耐火被覆材１４側にスライドさせて、当該耐火被覆材１４に当接させる。
【００４１】
以上のような第二梁２の被覆構造は、当該第二梁２が架設される一方の壁２３側と他方の壁２１側とに対して同様の状態で適用されている。
すなわち、図示はしないが、壁２１側においても外壁材５に切欠部が形成されており、第二梁２と切欠部との間に形成された隙間Ｓには、耐火板材１０とシーリング材１１とが設けられている。
また、第二梁２の壁２１側の端部は、外壁材５よりも壁２１の内部において耐火被覆材１４によって被覆されている。
【００４２】
続いて、第一梁１と第二梁２とに共通する仕上げ構造について説明する。
すなわち、耐火板材１０とシーリング材１１との間に、透湿防水シート１６と耐水シート１７のうち少なくとも一方が介在した状態となっている。本実施の形態においては、図８に示すように、透湿防水シート１６と耐水シート１７の双方が、耐火板材１０とシーリング材１１との間に介在している。
【００４３】
なお、これら透湿防水シート１６と耐水シート１７の取付作業は、施工時に耐火板材１０を、耐火被覆材１４側にスライドさせる前に行うことが望ましい。
すなわち、図８（ａ）に示すように、第一梁１または第二梁２の少なくとも根元の位置１ａ，２ａを被覆する耐火板材１０の周りに、透湿防水シート１６を巻き付ける。
次に、図８（ｂ）に示すように、耐火板材１０における各梁１，２の根元の位置１ａ，２ａに対応した箇所に耐水シート１７を巻き付ける。
ここで、これら透湿防水シート１６と耐水シート１７が巻き付けられた耐火板材１０を、耐火被覆材１４側にスライドさせて、当該耐火被覆材１４に当接させる。
その後、バックアップ材１２を隙間Ｓに設け、当該バックアップ材１２と、外壁材５，６の切欠部５ａと、耐火板材１０と、に対して密着した状態となるようにシーリング材１１を充填する。
【００４４】
このようにして、耐火板材１０とシーリング材１１との間に、透湿防水シート１６と耐水シート１７を介在させることができる。
なお、透湿防水シート１６は、各梁１，２の根元の位置１ａ，２ａに対応した耐火板材１０の箇所だけに設けられてもよいし、各梁１，２を全体的に被覆する耐火板材１０の全体に亘って設けられてもよい。
一方、耐水シート１７は、各梁１，２の根元の位置１ａ，２ａに対応した耐火板材１０の箇所だけに設けられているものとする。
【００４５】
以上のような防水仕上げが終わった後に、最終的に化粧カバー１３が設けられる。すなわち、各梁１，２を被覆する耐火板材１０は、図９に示すように、化粧カバー１３によって被覆されている。
化粧カバー１３の内側面には、当該化粧カバー１３の剛性を補強するための芯材１３ａが設けられている。
また、化粧カバー１３の左右側面には、当該化粧カバー１３の長さ方向に沿って横目地１３ｂが形成されている。化粧カバー１３は、この横目地１３ｂから耐火板材１０に向かってビス等が設けられることによって、耐火板材１０に対して固定されている。
なお、化粧カバー１３は、図示はしないが、上下に分割される構成であり、上側の分割体の端部と、下側の分割体の端部とが横目地１３ｂの箇所で重なり合う構成となっている。すなわち、この重なり部分をビス止めしている。
【００４６】
＜バルコニー３０における梁３，４の被覆構造＞
図１０に示すようなバルコニー３０は、アパートやマンション等の集合住宅や戸建て住宅等の建物に設けられている。
バルコニー３０の周囲には、当該バルコニー３０を囲むようにして複数の壁３１，３２が設けられている。
また、壁３１は、建物のコーナーに配置されており、壁３２は、建物の中央側に配置されている。すなわち、図１０に示すバルコニー３０は、建物のコーナーに配置されている。
【００４７】
壁３１は、当該壁３１を構成する柱や梁等を被覆する外壁材８を有する。また、壁３２は、当該壁３２を構成する柱や梁等を被覆する外壁材９を有する。
第三梁３は、壁３１から外壁材８を貫通するようにして外側に突出し、バルコニー３０を支持する支持梁である。
第四梁４は、壁３２から外壁材９を貫通するようにして外側に突出し、バルコニー３０を支持する支持梁である。
【００４８】
第三梁３におけるバルコニー３０中央側の面には、バルコニー３０の床３０ａの側端部を支持するアングル状の支持部材３０ｂが設けられている。
床３０ａは、ＡＬＣ（Autoclaved Lightweight aerated Concrete）からなる耐火性能を有する。
支持部材３０ｂは、第三梁３に対し、当該第三梁３のウェブに取り付けられた図示しないブラケットを介して取り付けられている。
また、図示はしないが、第四梁４におけるバルコニー３０中央側の面にも同様に支持部材３０ｂが設けられているものとする。
【００４９】
また、第三梁３と第四梁４との間には、図１０，図１１，図１４に示すように、床３０ａを支持する床梁３０ｃが複数架設されている。すなわち、バルコニー３０の床３０ａは、当該複数の床梁３０ｃによって支持されるとともに、両端部が、複数の支持部材３０ｂによって支持されている。
【００５０】
まず、第三梁３の被覆構造について、図１０〜図１５を参照して説明する。
外壁材８のうち第三梁３が突出する位置には、第三梁３が貫通可能な切欠部８ａが形成されている。
切欠部８ａは、断面視における第三梁３の最大外形よりも範囲が広くなるように外壁材８に形成されている。このように形成された切欠部８ａと第三梁３との間には隙間Ｓが形成されている。
なお、外壁材８における切欠部８ａの外部側縁は座堀り加工が施されており、バルコニー３０の図示しない仕上げ材の端部を収納できるようになっている。
【００５１】
隙間Ｓには、第三梁３のうち少なくとも切欠部８ａの縁部に対向する箇所を被覆する耐火板材１０が設けられている。
より詳細に説明すると、第三梁３は、床３０ａの側端部のうち支持部材３０ｂによって支持される箇所を除き、耐火板材１０と床３０ａの側端部によって略全周に亘って被覆されている。すなわち、図１２に示すように、第三梁３を囲む耐火ラインが、支持部材３０ｂの位置で途切れた状態となっている。
そこで、耐火板材１０と床３０ａの側端部との間には、床３０ａの側端部のうち支持部材３０ｂによって支持される箇所を跨ぐようにして耐火被覆材１４が設けられている。耐火被覆材１４は、耐火板材１０の側面と床３０ａの下面とに取り付けられるため、Ｌ字状に折り曲げられて設けられている。
【００５２】
第三梁３を囲む耐火板材１０は、バルコニー３０中央側の面を被覆する一枚の耐火板材１０と、三枚の耐火板材１０を予めコ字状に組んでなるコ字状体１０ａとに分けて第三梁３を被覆している。
一枚の耐火板材１０は、上端部が支持部材３０ｂの高さに位置している。
コ字状体１０ａは、第三梁３の上面および下面と、バルコニー３０中央とは反対側の側面と、を被覆する三枚の耐火板材１０によって予めコ字状に組まれてなる。
【００５３】
このようにコ字状に組まれた耐火板材１０（コ字状体１０ａ）を第三梁３に装着する際は、図１５に示すように、コ字状体１０ａを外側から横方向に移動させ、第三梁３に向かって装着する。この時、コ字状体１０ａは、第三梁３の上面に設けられたパッキン３０ｄの上に載せられて、ビスや釘等によって固定される。
一枚の耐火板材１０は、ビスや釘等によって、上端部が支持部材３０ｂの側面に固定され、下端部が、コ字状体１０ａを構成する下側の耐火板材１０の端面に固定される。
【００５４】
なお、図示はしないが、支持部材３０ｂが設けられない位置に一枚の耐火板材１０を設ける場合は、この一枚の耐火板材１０の上端部は床３０ａの側端部に到達する高さに設定し、第三梁３と床３０ａの側端部との間の隙間に下方から差し込むようにして設けるようにする。
【００５５】
また、第三梁３の上方には、図１２〜図１４に示すように、平面視Ｌ字状に組まれた耐火板材１０が設けられている。このように平面視Ｌ字状に組まれた耐火板材１０は、床３０ａの上面にも跨って配置されており、バルコニー３０の床面から上方に立ち上がる立ち上がり部として機能する。
このような平面視Ｌ字状に組まれた耐火板材１０も、コ字状体１０ａや一枚の耐火板材１０と同様に、隙間Ｓ内に設けられた状態となっている。
【００５６】
さらに、隙間Ｓには、耐火板材１０と切欠部８ａの縁部との間に充填されるシーリング材１１が設けられている。すなわち、シーリング材１１は、隙間Ｓ内において耐火板材１０よりも外側に配置されている。
より詳細に説明すると、隙間Ｓにおいて、耐火板材１０と切欠部８ａの縁部との間に、まずバックアップ材１２が目地底となるように設けられており、バックアップ材１２と、外壁材８の切欠部８ａと、耐火板材１０と、に対して密着した状態となるようにシーリング材１１が充填されている。
また、コ字状体１０ａよりも上方に設けられた平面視Ｌ字状に組まれた耐火板材１０の周囲にもシーリング材１１が充填されている。
【００５７】
また、第三梁３は、外壁材８よりも外側において耐火被覆材１４によって被覆されている。そして、第三梁３をそれぞれ被覆する耐火被覆材１４と耐火板材１０とが、第三梁３の長さ方向に隣接して設けられている。
すなわち、第三梁３のうち、外壁材８よりも外側であって、バルコニー３０の完成後には当該バルコニー３０の仕上げ材によって遮蔽される箇所が耐火被覆材１４によって被覆されている。
【００５８】
以上のような第三梁３の被覆構造は、壁３２側の第四梁４に対しても同様の状態で適用されている。
すなわち、図示はしないが、壁３２側においても外壁材９に切欠部が形成されており、第四梁４と切欠部との間に形成された隙間Ｓには、耐火板材１０とシーリング材１１とが設けられている。
また、第四梁４も、外壁材９よりも外側において耐火被覆材１４によって被覆されている。
【００５９】
なお、図示はしないが、第三梁３と第四梁４の場合も、耐火板材１０とシーリング材１１との間（第三梁３と第四梁４の根元の位置３ａ，４ａ）に、透湿防水シート１６と耐水シート１７のうち少なくとも一方を介在させた状態としてもよい。
その後、バルコニー３０は、外側の床梁３０ｃに対して手摺を取り付けたり、外周を覆う仕上げ材を取り付けたりして、その施工が行われる。
【００６０】
本実施の形態によれば、梁１〜４と外壁材５〜９における切欠部５ａ〜８ａとの間に形成された隙間Ｓに、梁１〜４のうち少なくとも切欠部５ａ〜８ａの縁部に対向する箇所を被覆する耐火板材１０と、この耐火板材１０と切欠部５ａ〜８ａの縁部との間に充填されるシーリング材１１と、が設けられているので、これら耐火板材１０とシーリング材１１によって隙間Ｓを確実に塞ぐようにして被覆できる。耐火板材１０には耐火性能があり、シーリング材１１には防水性能があるため、建物の外周部の梁１〜４が突出する部分における耐火性能および防水性能を向上させることができる。
また、シーリング材１１を充填するに当たって、耐火板材１０は板であるため、当該シーリング材１１の下地材として機能する。これによって、例えば繊維状の素材からなる耐火材を使用するよりも、シーリング材１１を確実に充填することができるとともに、その状態を安定的に維持できるので、建物の外周部の梁１〜４が突出する部分における防水性能の向上に貢献できる。
【００６１】
また、耐火板材１０とシーリング材１１との間に、透湿防水シート１６と耐水シート１７のうち少なくとも一方が介在しているので、隙間Ｓから湿気を逃がしつつ隙間Ｓからの水の浸入を防いだり、雨や雪による劣化を防いだりすることができ、その結果、建物の外周部の梁１〜４が突出する部分における防水性能をより向上させることができる。
【００６２】
また、耐火板材１０と梁１〜４を被覆する耐火被覆材１４とが、梁１〜４の長さ方向に隣接して設けられているので、例えば梁１〜４の形状の複雑性や外壁材５〜７よりも内側構造の複雑性等によって耐火板材１０で被覆できない箇所を、耐火被覆材１４によって被覆することができる。これによって、梁を、耐火板材１０によって被覆された箇所だけでなく、その他の箇所も耐火被覆材１４によって被覆できるので、梁１〜４における耐火性能を向上させることができる。
【００６３】
また、外階段が設けられる領域２０の場合において、耐火板材１０は、梁１，２の長さ方向および全周に亘って当該梁１，２の全体を被覆しており、当該耐火板材１０は化粧カバー１３によって被覆されているので、梁１，２の全体を、化粧カバー１３によって意匠性を高めつつ、耐火板材１０によって耐火性能を向上させることができる。
【００６４】
また、バルコニー３０の場合において、梁３，４のバルコニー３０中央側の面に支持部材３０ｂが設けられているので、梁３，４は、床３０ａの側端部のうち支持部材３０ｂによって支持される箇所を除き、耐火板材１０と床３０ａの側端部によって略全周に亘って被覆された状態となる。このような状態において、耐火板材１０と床３０ａの側端部との間に、床３０ａの側端部のうち支持部材３０ｂによって支持される箇所を跨ぐようにして耐火被覆材１４が設けられるので、梁３，４を全周に亘って耐火被覆することができる。
【符号の説明】
【００６５】
１  梁（第一梁）
２  梁（第二梁）
３  梁（第三梁）
４  梁（第四梁）
５  外壁材
５ａ  切欠部
６  外壁材
７  外壁材
７ａ  切欠部
８  外壁材
８ａ  切欠部
９  外壁材
１０  耐火板材
１１  シーリング材
１４  耐火被覆材
２０  外階段が設けられる領域
２１  壁
２２  壁
２３  壁
３０  バルコニー
３１  壁
３２  壁
Ｓ  隙間
【図１】
0006563684.tif 000002
【図２】
0006563684.tif 000003
【図３】
0006563684.tif 000004
【図４】
0006563684.tif 000005
【図５】
0006563684.tif 000006
【図６】
0006563684.tif 000007
【図７】
0006563684.tif 000008
【図８】
0006563684.tif 000009
【図９】
0006563684.tif 000010
【図１０】
0006563684.tif 000011
【図１１】
0006563684.tif 000012
【図１２】
0006563684.tif 000013
【図１３】
0006563684.tif 000014
【図１４】
0006563684.tif 000015
【図１５】
0006563684.tif 000016